(57)【要約】【課題】フックを用いて縦掛けと横掛けとが可能な電子写真立てにおいて、使用するときにはその姿勢に応じた画像を表示すると共に使用しないときには電力消費を抑える。【解決手段】縦掛け検出センサ３２によりデジタルフォトフレーム２０の縦掛けが検知されたときには縦掛け姿勢に応じた向きに画像を表示パネル２２に表示し、横掛け検出センサ３４によりデジタルフォトフレーム２０の横掛けが検知されたときには横掛け姿勢に応じた向きに画像を表示パネル２２に表示し、縦掛け検出センサ３２と横掛け検出センサ３４から共に壁掛けされたことが検知されないときには表示パネル２２を非表示とする。この結果、使用時にはデジタルフォトフレーム２０の壁掛け時の姿勢に応じて表示パネル２２に画像を表示することができると共に未使用時には電力の消費を抑えることができる。【選択図】図１
2009226007.tif 000002
【特許請求の範囲】
【請求項１】
フックを用いて縦掛けと横掛けとが可能な複数のフック穴が形成された電子写真立てであって、
機械式接点を有し、前記複数のフック穴のうち縦掛け用のフック穴に前記フックが取り付けられたか否かを検知する縦掛け検知手段と、
機械式接点を有し、前記複数のフック穴のうち横掛け用のフック穴に前記フックが取り付けられたか否かを検知する横掛け検知手段と、
前記縦掛け検知手段により縦掛けが検知されたときには縦向きに画像を表示し、前記横掛け検知手段により横掛けが検知されたときには横向きに画像を表示し、前記縦掛け検知手段と前記横掛け検知手段のいずれもが非検知のときには画像の表示をオフする表示制御手段と
を備える電子写真立て。
【請求項２】
請求項１記載の電子写真立てであって、
前記縦掛け用のフック穴として、壁掛けフックの取り付けが可能な壁掛け用フック穴と吊り下げフックの取り付けが可能な吊り下げ用フック穴とが形成され、
前記縦掛け検知手段は、前記壁掛け用フック穴と前記吊り下げ用フック穴の一方に前記フックが取り付けられたときに前記縦掛けを検知する手段である
電子写真立て。
【請求項３】
請求項１または２記載の電子写真立てであって、
前記横掛け用のフック穴として、壁掛けフックの取り付けが可能な壁掛け用フック穴と吊り下げフックの取り付けが可能な吊り下げ用フック穴とが形成され、
前記横掛け検知手段は、前記壁掛け用フック穴と前記吊り下げ用フック穴の一方に前記フックが取り付けられたときに前記横掛けを検知する手段である
電子写真立て。
【請求項４】
前記フック穴は、前記電子写真立てを立て掛けるための別体のスタンドに取り付けられる取り付け穴を兼ねてなる請求項１ないし３いずれか１項に記載の電子写真立て。
【発明の詳細な説明】
【技術分野】
【０００１】
本発明は、フックを用いて縦掛けと横掛けとが可能な複数のフック穴が形成された電子写真立てに関する。
【背景技術】
【０００２】
従来、電子写真立てとしては、観賞用画像を表示する長方形状のフレームとフレームが装着される台座とからなる電子写真立て（デジタルフォトフレーム）が提案されている（例えば、特許文献１参照）。この電子写真立てでは、フレームが縦姿勢のときにはフレームの短手方向に設けられた接続端子が台座の接続端子に接続され、フレームが横姿勢のときにはフレームの長手方向に設けられた接続端子が台座の接続端子に接続される。そして、接続された接続端子が短手方向か長手方向かを検出することにより、電子写真立ての姿勢を自動で検出し、検出した姿勢に合わせて回転された画像が表示される。
【特許文献１】特開２００１−６７００４号公報
【発明の開示】
【発明が解決しようとする課題】
【０００３】
ところで電子写真立てとしては、フック穴にフックを掛けて使用するものがあり、そのようなタイプの電子写真立てには上述したような姿勢の検出方法を適用することができない。また、電子写真立てを使用しないときにはユーザによるボタン操作により表示をオフすることもできるが、節電のためには自動でオフされることが望ましい。
【０００４】
本発明の電子写真立ては、フックを用いて縦掛けと横掛けとが可能な電子写真立てにおいて、使用するときにはその姿勢に応じた画像を表示すると共に使用しないときには電力消費を抑えることを主目的とする。
【課題を解決するための手段】
【０００５】
本発明の電子写真立ては、上述の主目的を達成するために以下の手段を採った。
【０００６】
本発明の電子写真立ては、
フックを用いて縦掛けと横掛けとが可能な複数のフック穴が形成された電子写真立てであって、
機械式接点を有し、前記複数のフック穴のうち縦掛け用のフック穴に前記フックが取り付けられたか否かを検知する縦掛け検知手段と、
機械式接点を有し、前記複数のフック穴のうち横掛け用のフック穴に前記フックが取り付けられたか否かを検知する横掛け検知手段と、
前記縦掛け検知手段により縦掛けが検知されたときには縦向きに画像を表示し、前記横掛け検知手段により横掛けが検知されたときには横向きに画像を表示し、前記縦掛け検知手段と前記横掛け検知手段のいずれもが非検知のときには画像の表示をオフする表示制御手段と
を備えることを要旨とする。
【０００７】
この本発明の電子写真立てでは、機械式接点を有し複数のフック穴のうち縦掛け用のフック穴にフックが取り付けられたか否かを検知する縦掛け検知手段により縦掛けが検知されたときには縦向きに画像を表示し、機械式接点を有し複数のフック穴のうち横掛け用のフック穴にフックが取り付けられたか否かを検知する横掛け検知手段により横掛けが検知されたときには横向きに画像を表示し、縦掛け検知手段と横掛け検知手段のいずれもが非検知のときには画像の表示をオフする。この結果、フックを用いて縦掛けと横掛けとが可能な電子写真立てにおいて、使用するときにはその姿勢に応じた画像を表示すると共に使用しないときには電力消費を抑えることができる。ここで、「フック」としては、例えば、釘やピン，Ｊ字型の取付具などが含まれ、フック穴に引っ掛けることができるものであれば何でもよい。
【０００８】
こうした本発明の電子写真立てにおいて、前記縦掛け用のフック穴として、壁掛けフックの取り付けが可能な壁掛け用フック穴と吊り下げフックの取り付けが可能な吊り下げ用フック穴とが形成され、前記縦掛け検知手段は、前記壁掛け用フック穴と前記吊り下げ用フック穴の一方に前記フックが取り付けられたときに前記縦掛けを検知する手段であるものとすることもできる。こうすれば、壁掛けと吊り下げとの２種類の縦掛け方法に対応することができると共にいずれの方法を用いても電子写真立ての姿勢に応じた画像を表示することができる。
【０００９】
また、こうした本発明の電子写真立てにおいて、前記横掛け用のフック穴として、壁掛けフックの取り付けが可能な壁掛け用フック穴と吊り下げフックの取り付けが可能な吊り下げ用フック穴とが形成され、前記横掛け検知手段は、前記壁掛け用フック穴と前記吊り下げ用フック穴の一方に前記フックが取り付けられたときに前記横掛けを検知する手段であるものとすることもできる。こうすれば、壁掛けと吊り下げとの２種類の横掛け方法に対応することができると共にいずれの方法を用いても電子写真立ての姿勢に応じた画像を表示することができる。
【００１０】
さらに、本発明の電子写真立てにおいて、前記フック穴は、前記電子写真立てを立て掛けるための別体のスタンドに取り付けられる取り付け穴を兼ねてなるものとすることもできる。こうすれば、壁掛けするときだけでなく別体のスタンドに掛けるときにも、対応することができる。
【発明を実施するための最良の形態】
【００１１】
次に、本発明を実施するための最良の形態を図面を用いて説明する。図１は、本発明の画像表示装置の一実施形態としてのデジタルフォトフレーム２０の構成図および機能ブロック図であり、図２は、デジタルフォトフレーム２０を背面側から見た外観を示す外観図である。
【００１２】
本実施形態のデジタルフォトフレーム２０は、図１に示すように、壁掛け型のフォトフレームとして構成されており、図示するように、長方形状のフレーム２１と、フレーム２１にはめ込まれた液晶ディスプレイとしての表示パネル２２と、表示パネル２２の表示制御を司る表示コントローラ２４と、デジタルフォトフレーム２０が壁掛けフックに取り付けられたときの姿勢に応じてオンオフされる縦掛け検出センサ３２および横掛け検出センサ３４とによりデジタルフォトフレーム２０の姿勢を検出する姿勢検出回路３０と、メモリカードスロット３６に挿入されているメモリカード３５とデータのやり取りを行なうためのメモリカードコントローラ３８と、電源をオンオフするための電源ボタン４０ａやユーザが各種操作を行なうためのボタン群４０ｂとからなる操作ボタン４０と、画像ファイルを保存するための内蔵メモリ４２と、装置全体のコントローラを司るメインコントローラ５０とを備える。また、図２に示すように、デジタルフォトフレーム２０は、その背面にフレーム２１が長辺方向を縦方向として壁掛けフックに掛けられる（以下、縦掛けという）ための縦穴２５が短辺の周縁近傍の略中央に形成されると共にフレーム２１が長辺方向を横方向として壁掛けフックに掛けられる（以下、横掛けという）ための横穴２７が長辺の周縁近傍の略中央に形成されている。
【００１３】
図３は、姿勢検出回路３０の回路図である。姿勢検出回路３０は、直流電源電圧（例えば、５Ｖ）を供給する電源Ｖｃｃと、電源Ｖｃｃとメインコントローラ５０との間に接続される抵抗Ｒ１とこの抵抗Ｒ１とメインコントローラ５０との接続点（図中Ａ点）とグランドとの間に接続されるスイッチＳＷ１とからなる縦掛け検出センサ３２と、電源Ｖｃｃとメインコントローラ５０との間に接続される抵抗Ｒ２とこの抵抗Ｒ２とメインコントローラ５０との接続点（図中Ｂ点）とグランドとの間に接続されるスイッチＳＷ２とからなる横掛け検出センサ３４とにより構成されている。ここで、スイッチＳＷ１がオフのときＡ点の電位は電源Ｖｃｃと同電位となり、スイッチＳＷ１がオンするとグランドと導通するのでＡ点の電位はグランドと同電位（０Ｖ）となる。同様に、スイッチＳＷ２がオフのときＢ点の電位は電源Ｖｃｃと同電位となり、スイッチＳＷ１がオンするとグランドと導通するのでＢ点の電位はグランドと同電位（０Ｖ）となる。また、図２に示すように、縦掛け検出センサ３２のスイッチＳＷ１は縦穴２５内に突出するように配設され、横掛け検出センサ３４のスイッチＳＷ２は横穴２７内に突出するように配設されている。このため、デジタルフォトフレーム２０が壁掛けフックに縦掛けされたときには、その自重によりスイッチＳＷ１が壁掛けフックに押圧されてオンするので縦掛け検出センサ３２はメインコントローラ５０に電圧０Ｖ（以下、Ｌｏレベルの電圧という）を出力する。また、デジタルフォトフレーム２０が壁掛けフックに縦掛けされていないときには、スイッチＳＷ１はオフなので縦掛け検出センサ３２はメインコントローラ５０に電源Ｖｃｃと同電位の電圧（以下、Ｈｉレベルの電圧という）を出力する。同様に、デジタルフォトフレーム２０が壁掛けフックに横掛けされたときには、その自重によりスイッチＳＷ２が壁掛けフックに押圧されてオンするので横掛け検出センサ３４はメインコントローラ５０にＬｏレベルの電圧を出力する。また、デジタルフォトフレーム２０が壁掛けフックに横掛けされていないときには、スイッチＳＷ２はオフなので横掛け検出センサ３４はメインコントローラ５０にＨｉレベルの電圧を出力する。
【００１４】
メモリカードコントローラ３８は、メモリカードスロット３６を介してメモリカード３５とデータをやり取りできるようになっている。このメモリカードコントローラ３８は、メモリカードスロット３６にメモリカード３５が接続されているとき、メモリカード３５に保存されている画像ファイルを読み出してメインコントローラ５０に送信したりメインコントローラ５０からの命令を入力し該命令に基づいてメモリカード３５にデータを書き込んだりする。
【００１５】
メインコントローラ５０は、ＣＰＵ５２を中心としたマイクロプロセッサとして構成されており、ＣＰＵ５２の他に処理プログラムを記憶するＲＯＭ５４と、一時的にデータを記憶するＲＡＭ５６と、入出力ポート（図示せず）とを備える。このメインコントローラ５０には、縦掛け検出センサ３２や横掛け検出センサ３４からの検出信号や，操作ボタン４０からの操作信号などが入力ポートを介して入力されており、メインコントローラ５０からは、表示コントローラ２４やメモリカードコントローラ３８への制御信号などが出力ポートを介して出力されている。また、メインコントローラ５０は、メモリカードスロット３６に挿入されているメモリカード３５からメモリカードコントローラ３８を介して読み出した画像ファイルその他のデータを内蔵メモリ４２に保存したり、内蔵メモリ４２内のファイルを読み出すと共に読み出したファイルをメモリカードコントローラ３８を介してメモリカード３５に保存したりすることができるようになっている。
【００１６】
次に、こうして構成された本実施形態のデジタルフォトフレーム２０の動作について説明する。図４は、メインコントローラ５０のＣＰＵ５２により実行される画像表示処理ルーチンの一例を示す説明図である。この処理は、電源ボタン４０ａがオンされたあと所定タイミング毎に（例えば数ｍｓｅｃ毎に）実行される。なお、画像の向きは、デフォルト値としては、長辺を横方向とする向きに設定されているものとして説明する。
【００１７】
画像表示処理ルーチンが実行されると、ＣＰＵ５２は、まず、縦掛け検出センサ３２からの電圧Ｖ１，横掛け検出センサ３４からの電圧Ｖ２を入力する処理を実行する（ステップＳ１００）。次に、電圧Ｖ１と電圧Ｖ２がＬｏレベルの電圧であるかＨｉレベルの電圧であるかを調べる（ステップＳ１１０）。
【００１８】
電圧Ｖ１と電圧Ｖ２とが共にＨｉレベルの電圧であるときには、デジタルフォトフレーム２０が壁掛けフックに掛けられていない状態であるため、表示パネル２２を非表示とする指令を表示コントローラ２４に出力して（ステップＳ１２０）、本ルーチンを終了する。非表示の指令を受信した表示コントローラ２４は、表示パネル２２を非表示とする処理を行う。これにより、デジタルフォトフレーム２０が壁掛けフックに掛けられていない未使用時には、表示パネル２２を非表示として電力の消費を抑えることができる。
【００１９】
電圧Ｖ１がＨｉレベルの電圧であり電圧Ｖ２がＬｏレベルの電圧であるときには、デジタルフォトフレーム２０が横掛けされている状態であるため、画像の向きはデフォルト値の向きのままでよく、画像を表示パネル２２に表示する指令を表示コントローラ２４に出力して（ステップＳ１４０）、本ルーチンを終了する。この指令を受信した表示コントローラ２４は、デフォルト値の向きに設定されている画像を表示パネル２２に表示する。これにより、デジタルフォトフレーム２０が横掛けされているときには、横掛け姿勢に応じた画像を表示することができる。デジタルフォトフレーム２０が横掛けされた様子を図５に示す。図示するように、デジタルフォトフレーム２０の自重によりスイッチＳＷ２が壁掛けフックｈに押圧されており、また、表示パネル２２には横掛け姿勢に応じた画像が表示される。
【００２０】
電圧Ｖ１がＬｏレベルの電圧であり電圧Ｖ２がＨｉレベルの電圧であるときには、デジタルフォトフレーム２０が縦掛けされている状態であるため、画像をデフォルト値の向きから９０度回転する回転処理を行い（ステップＳ１３０）、ステップＳ１４０で画像を表示パネル２２に表示する指令を表示コントローラ２４に出力して、本ルーチンを終了する。この指令を受信した表示コントローラ２４は、回転処理された画像を表示パネル２２に表示する。これにより、デジタルフォトフレーム２０が縦掛けされているときには、縦掛け姿勢に応じた画像を表示することができる。デジタルフォトフレーム２０が縦掛けされた様子を図６に示す。図示するように、デジタルフォトフレーム２０の自重によりスイッチＳＷ１が壁掛けフックｈに押圧されており、表示パネル２２には縦掛け姿勢に応じた画像が表示される。
【００２１】
ここで、本実施形態の構成要素と本発明の構成要素との対応関係を明らかにする。本実施形態の縦掛け検出センサ３２が本発明の「縦掛け検知手段」に相当し、横掛け検出センサ３４が「横掛け検知手段」に相当し、メインコントローラ５０と表示コントローラ２４とが「表示制御手段」に相当する。
【００２２】
以上詳述した本実施形態のデジタルフォトフレーム２０によれば、横掛け検出センサ３４によりＬｏレベルの電圧が出力されて横掛けが検知されたときには横掛け姿勢に応じた向きに画像を表示し、縦掛け検出センサ３２によりＬｏレベルの電圧が出力されて縦掛けが検知されたときには画像を回転処理して縦掛け姿勢に応じた向きに画像を表示し、縦掛け検出センサ３２と横掛け検出センサ３４とから共にＨｉレベルの電圧が出力されるときには表示パネル２２を非表示とする。この結果、使用時にはデジタルフォトフレーム２０の壁掛け時の姿勢に応じて表示パネル２２に画像を表示することができると共に未使用時には電力の消費を抑えることができる。
【００２３】
本実施形態では、壁掛けフック用穴として縦穴２５と横穴２７とが一つずつ形成されているものとしたが、一つだけに限られるものではなく、複数形成されているものとしてもよい。
【００２４】
本実施形態では、壁掛けフックｈが取り付けられる壁掛け用フック穴としての縦穴２５と横穴２７とが形成されているものとしたが、紐やチェーンなどの先端に取り付け具を有する吊り下げフックが取り付けられる吊下用フック穴が形成されているものとしてもよい。図７は、別の実施形態のデジタルフォトフレーム２００の一例を示す説明図である。図示するように、デジタルフォトフレーム２００の背面に前述した本実施形態と同様に縦穴２５と横穴２７とが形成されると共に背面の角の近傍に吊下用フック穴２８ａ，２８ｂ，２８ｃとが形成され、また、デジタルフォトフレーム２００の姿勢を検出する姿勢検出回路３００と、メインコントローラ５０とを備えている。なお、デジタルフォトフレーム２００は、本実施形態のデジタルフォトフレーム２０と同様に表示コントローラやメモリカードコントローラなどの各種構成を備えているが、その図示および説明は省略する。吊下用フック穴２８ａ〜２８ｃのうち縦掛けされるときには吊下用フック穴２８ａ，２８ｂが用いられ、横掛けされるときには吊下用フック穴２８ｂ，２８ｃが用いられる。また、姿勢検出回路３００は、電源Ｖｃｃと、縦掛け検出センサ３２０と、横掛け検出センサ３４０とにより構成されている。縦掛け検出センサ３２０は、本実施形態の縦掛け検出センサ３２に加えてスイッチＳＷ１と並列に接続されるスイッチＳＷ３を備えるものとして構成されており、横掛け検出センサ３４０は、本実施形態の縦掛け検出センサ３４に加えてスイッチＳＷ２と並列に接続されるスイッチＳＷ４を備えるものとして構成されている。スイッチＳＷ３は、吊下用穴２８ａ内に配設され縦掛け時に吊り下げ用のフックにより押圧されてオンし、スイッチＳＷ４は、吊下用穴２８ｃ内に配設され横掛け時に吊り下げ用のフックにより押圧されてオンする。このため、縦穴２５または吊下用フック穴２８ａ，２８ｂを用いて縦掛けされたときには、スイッチＳＷ１またはスイッチＳＷ３のいずれか一方がオンしてグランドと導通し、縦掛け検出センサ３２０がメインコントローラ５０にＬｏレベルの電圧を出力するので縦掛けされたことを検出することができる。また、横穴２７または吊下用フック穴２８ｂ，２８ｃを用いて横掛けされたときには、スイッチＳＷ２またはスイッチＳＷ４のいずれか一方がオンしてグランドと導通し、横掛け検出センサ３４０がメインコントローラ５０にＬｏレベルの電圧を出力するので横掛けされたことを検出することができる。一方、壁掛けされないときには、縦掛け検出センサ３２０および横掛け検出センサ３４０共にメインコントローラ５０にＨｉレベルを出力するので壁掛けされていないことを検出することができる。これにより、壁掛けと吊り下げとの２種類の方法に対応することができると共にいずれの方法を用いてもデジタルフォトフレーム２００の姿勢に応じた画像を表示することができる。なお、吊下用フック穴２８ａ，２８ｂ，２８ｃは、デジタルフォトフレーム２００の背面に形成されているものとしたが、側面に形成されているものとしてもよい。
【００２５】
本実施形態では、デジタルフォトフレーム２０を壁掛けするものとしたが、フックｈ１を備えたスタンドに掛けるものとしても構わない。図８は、フックｈ１を備えたスタンド６０の一例を示す説明図である。図８（ａ）はスタンド６０の外観を表す斜視図を示し、図８（ｂ）はスタンド６０のフックｈ１にデジタルフォトフレーム２０が縦掛けされた様子を示す。この場合も、前述した本実施形態と同様に縦掛け，横掛けまたは掛けられていないことを検出することができる。これにより、壁掛けするときだけでなく別体のスタンド６０に掛けるときにも対応することができる。
【００２６】
本実施形態では、デジタルフォトフレーム２０のフレーム２１は長方形状のものとしたが、これに限られず正方形や多角形など如何なる形状としてもよい。
【００２７】
本実施形態では、壁掛けフックに掛けられたときに押圧されてオンされるスイッチにより縦掛けや横掛けを検出するセンサを用いるものとしたが、機械式接点を有するものであれば如何なるものとしても構わない。
【００２８】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００２９】
【図１】デジタルフォトフレーム２０の構成図および機能ブロック図。
【図２】デジタルフォトフレーム２０を背面側から見た外観図。
【図３】姿勢検出回路３０の回路図。
【図４】画像表示処理ルーチンの一例を示す説明図。
【図５】デジタルフォトフレーム２０が横掛けされた様子を示す説明図。
【図６】デジタルフォトフレーム２０が縦掛けされた様子を示す説明図。
【図７】別の実施形態のデジタルフォトフレーム２００の一例を示す説明図。
【図８】フックｈ１を備えたスタンド６０の一例を示す説明図。
【符号の説明】
【００３０】
２０，２００  デジタルフォトフレーム、２１  フレーム、２２  表示パネル、２４  表示コントローラ、２５  縦穴、２７  横穴、２８ａ，２８ｂ，２８ｃ  吊り下げ用フック穴、３０，３００  姿勢検出回路、３２，３２０  縦掛け検出センサ、３４，３４０  横掛け検出センサ、３５  メモリカード、３６  メモリカードスロット、３８  メモリカードコントローラ、４０  操作ボタン、４０ａ  電源ボタン、４０ｂ  ボタン群、４２  内蔵メモリ、５０  メインコントローラ、５２  ＣＰＵ、５４  ＲＯＭ、５６  ＲＡＭ、６０  スタンド。
【図１】
2009226007.tif 000003
【図２】
2009226007.tif 000004
【図３】
2009226007.tif 000005
【図４】
2009226007.tif 000006
【図５】
2009226007.tif 000007
【図６】
2009226007.tif 000008
【図７】
2009226007.tif 000009
【図８】
2009226007.tif 000010